(57)【要約】【課題】底壁の中央部が外側へ湾曲するように形成するとともに、中央部付近に存するゲート痕跡部を破損しないように保護する手段を備えた芳香容器を提供する。【解決手段】合成樹脂製の容器体の口頸部から液体吸上げ用の芯材を容器体の底壁中央付近に垂下した揮発性液体収納容器において、容器体２の底壁４を、底壁中心にあるゲート痕跡部Ｇを下端として、この下端部へ向かって下内方へ傾斜する傾斜壁とし、傾斜壁の裏面外周部に容器体を起立させるための複数の接地用凸部２０を形成するとともに、傾斜壁の裏面内周部に上記ゲート痕跡部を囲む凸リング状の保護用補剛部２２を突設し、かつこの保護用補剛部の下面が上記ゲート痕跡部Ｇよりも下方であって、上記接地用凸部２０の下面よりも高い位置にあるように構成した。【選択図】図１
2010274001.tif 000002
【特許請求の範囲】
【請求項１】
合成樹脂製の容器体の口頸部から液体吸上げ用の芯材を容器体の底壁中央付近に垂下した揮発性液体収納容器において、
容器体２の底壁４を、底壁中心にあるゲート痕跡部Ｇを下端として、この下端部へ向かって下内方へ傾斜する傾斜壁とし、傾斜壁の裏面外周部に容器体を起立させるための複数の接地用凸部２０を形成するとともに、傾斜壁の裏面内周部に上記ゲート痕跡部を囲む凸リング状の保護用補剛部２２を突設し、かつこの保護用補剛部の下面が上記ゲート痕跡部Ｇよりも下方であって、上記接地用凸部２０の下面よりも高い位置にあるように構成したように構成したことを特徴とする、揮発性液体収納容器。
【請求項２】
上記接地用凸部２０は、少なくともゲート痕跡部を中心として略等角的な３つ以上の箇所に設置したことを特徴とする、請求項１記載の揮発性液体収納容器。
【請求項３】
上記保護用補剛部２２を、上記ゲート痕跡部Ｇの周りを連続するループ状のリブに形成したことを特徴とする、請求項１又は請求項２記載の揮発性液体収納容器。
【請求項４】
上記保護用補剛部２２を、上記ゲート痕跡部Ｇの周囲に断続的に連なる複数の凸部の列として形成したことを特徴とする、請求項１から請求項３のいずれかに記載の揮発性液体収納容器。
【発明の詳細な説明】
【技術分野】
【０００１】
本発明は、揮発性液体収納容器、例えば芳香剤容器に関する。
【背景技術】
【０００２】
従来、芳香剤容器として、底壁の中央部が内方へ湾曲した容器体内へ芯材を垂下し、収納液体を吸い上げ、揮発させるように設けたものが知られている（特許文献１及び特許文献２）。
【先行技術文献】
【特許文献】
【０００３】
【特許文献１】特開平９−１１７４９７号
【特許文献２】特開０５−１６１７００号
【特許文献３】特開０８−１６４１９４号
【発明の概要】
【発明が解決しようとする課題】
【０００４】
特許文献１及び特許文献２の容器は、底壁の中央部が内側へ湾曲しているために、芯材を底壁付近へ垂下したとしても、底壁の外周部に収納液が集まり、吸い残しを生ずる可能性があった。これに対して、底壁の中央部が外側へ湾曲するようにして、中央部へ液体が集まるようにすることも考えられる。しかしながら、一般に容器体の底壁中央部には、容器体を形成するときの金型のゲート（注入口）に対応する痕跡部が存在し、容器を床へ取り落としたときに、そのゲート痕跡部が割れる可能性がある。また特許文献３の如く底壁の中央部に比べて低い外周部分へ吸上げ芯材を延ばすようにすることも考えられるが、必ずしも残液が芯材の先端付近に集まるとは限らない。
【０００５】
本発明の目的は、底壁の中央部が外側へ湾曲するように形成するとともに、中央部付近に存するゲート痕跡部を破損しないように保護する手段を備えた揮発性液体収納容器を提供することである。
【課題を解決するための手段】
【０００６】
第１の手段は、合成樹脂製の容器体の口頸部から液体吸上げ用の芯材を容器体の底壁中央付近に垂下した揮発性液体収納容器において、
容器体２の底壁４を、底壁中心にあるゲート痕跡部Ｇを下端として、この下端部へ向かって下内方へ傾斜する傾斜壁とし、傾斜壁の裏面外周部に容器体を起立させるための複数の接地用凸部２０を形成するとともに、傾斜壁の裏面内周部に上記ゲート痕跡部を囲む凸リング状の保護用補剛部２２を突設し、かつこの保護用補剛部の下面が上記ゲート痕跡部Ｇよりも下方であって、上記接地用凸部２０の下面よりも高い位置にあるように構成した。
【０００７】
本手段では、容器体の底壁を、図４に示す如くゲート痕跡部Gが存する中央の下端部に向かって傾斜する傾斜壁とするとともに（傾斜角θ）、この底壁の形状に関わらず容器体を起立させるための接地用凸部を底壁の外周部に設けている。しかしながら接地用凸部だけでは容器を誤って床などの上に落としたときに、落下時の勢いでゲート痕跡部が床面などに打ちつけられ、割れてしまう危険性がある。そこで図１に示すように底壁の内周部にゲート痕跡部を囲む凸リング状の保護用補剛部を形成した。接地用凸部及び保護用補剛部は、上面が平らで下方へ凸の中実形状であってもよく、また上凹・下凸の中空形状でもよい。
【０００８】
「底壁」は、水平方向の少なくとも一方から見て、ゲート痕跡部を下端部として、容器体胴部の下端から傾斜するように形成している。底壁の上面だけでなく下面も傾斜している。底壁の上面を傾斜させることは収納液体を中央部分に集めるために必要であり、そして底壁の肉厚がおおよそ一定であるとすると、底壁の下面も傾斜する。このために容器の落下の際にゲート痕跡部に接地面に打ち付けられる可能性があり、衝突のショックを緩和し、或いは衝突を回避するために保護用補剛部を設けている。
【０００９】
「保護用補剛部」は、少なくともゲート痕跡部よりも低い位置まで隆起しており、容器が落下したときにゲート痕跡部が接地面に直接当らないようにしている。この保護用補剛部は、図１の如く連続的に、或いは図５の如く断続的にゲート痕跡部の周りを連なっている。さらに容器が落下したときに保護用補剛部よりもさきに接地用凸部が接地面に当るように構成することが望ましい。これについては次の手段で述べる。
【００１０】
第２の手段は、第１の手段を有し、かつ上記接地用凸部２０は、少なくともゲート痕跡部を中心とする略等角位置に設置した。
【００１１】
本手段では、接地用凸部の具体的形状を提案している。すなわち、図１に示すように接地箇所は、ゲート痕跡部を囲う保護用補剛部の回りをさらに取り囲むように少なくともゲート痕跡部を中心として略等角的な３つ以上の箇所（図１の例では接地点Ａ、Ｂ、Ｃ）に設置している。これは、同一平面に接地可能な接地点が３箇所あればよいということであり、接地用凸部が図６のように周方向に長い２つ突条であってもよく、さらに１本のループであってもよい。このようにすることで、図４に矢示する如く容器が落下したときにまず接地用凸部が接地面Pに当るようにしている。これによりゲート痕跡部への衝撃がさらに弱まる。
【００１２】
第３の手段は、第１の手段又は第２の手段を有し、かつ上記保護用補剛部２２を、上記ゲート痕跡部Ｇの周りを連続するループ状のリブに形成している。
【００１３】
本手段では、保護用補剛部を図１の如くループ状の一本のリブとすることを提案している。「ループ」とは閉じた輪であり、底壁をリブの内側部分と外側部分とで区画している。これによりリブの外側部分に存する接地用凸部に当ったときの衝撃がリブの内側部分に伝わりにくいようにしている。すなわち、接地面への接地用凸部の衝突時にはリブ外側の底壁部分が変形するが、この変形に対して保護用補剛部であるリブが抵抗するので、リブ内部への応力の伝達が緩和される。
【００１４】
第４の手段は、第１の手段から第３の手段のいずれかを有し、かつ上記保護用補剛部２２を、上記ゲート痕跡部Ｇの周囲に断続的に連なる複数の凸部の列として形成した。
【００１５】
本手段では、ゲート痕跡部に接地面が当らないようにするための保護用補剛部の形態の他の例を挙げている（図５参照）。「断続的に」とは容器を落下させたときに接地面にゲート痕跡部が当らない程度の間隙を存して凸部が連なっていることをいう。
【発明の効果】
【００１６】
第１の手段及び第４の手段に係る発明によれば、ゲート痕跡部を囲む凸リング状の保護用補剛部２２を形成したから、容器を落下したときに床面へのゲート痕跡部形成個所の衝突を回避し、或いは衝突力を軽減することができる。
【００１７】
第２の手段に係る発明によれば、接地用凸部２０は、少なくともゲート痕跡部を中心とする略等角位置に存する箇所に設置したから、この設置箇所を下寄りとして容器が傾いて落下したときに当該箇所の接地用凸部が最初に接地面に当るから、保護用補剛部２２内方のゲート痕跡部への衝撃がさらに弱まる。
【００１８】
第３の手段に係る発明によれば、保護用補剛部２２を、上記ゲート痕跡部Ｇの周りを連続するループ状のリブに形成したから、接地面への衝突時のゲート痕跡部への応力の伝達を緩和することができる。
【図面の簡単な説明】
【００１９】
【図１】本発明の第１の実施形態に係る揮発性液体収納容器の底面図である。
【図２】図１の容器のII−II方向に見た半断面図である。
【図３】図１の容器のIII−III方向に見た側面図である。
【図４】図１の容器の底部の拡大図である。
【図５】本発明の第２の実施形態に係る揮発性液体収納容器の底面図である。
【図６】本発明の実施例に係る底面図である。
【発明を実施するための形態】
【００２０】
図１から図４は、本発明の第１の実施形態に係る揮発性液体収納容器を示している。この容器の構成のうち従来公知の事項を簡単に説明すると、容器体２と、装着筒８と、芯材支持筒１２と、芯材１４と、液体含浸材１６と、キャップ１８とで構成されている。
【００２１】
容器体２は、図２に示す如く底壁４外周から起立する胴部の先端から肩部を介して口頸部６を上方突出している。上記肩部の下端からは揮発窓１０付きの装着筒８を起立している。また上記口頸部６からは芯材支持筒１２が容器体内へ垂下されている。芯材支持筒の上端部は容器体の口頸部６上面へ係止している。この芯材支持筒の筒孔内に棒状の芯材１４を挿入している。芯材１４の下端は底壁中央部付近まで延びており、芯材の上端は容器体の口頸部６より上方へ突出している。液体含浸材１６は、スポンジなどであり、上記芯材１４の上端に接するように図示しない支持手段により容器内に支持されている。キャップ１８は、上記装着筒８の上面に嵌合させている。
【００２２】
本発明においては、容器体の底壁４を、図４に示すように底壁の中心に向かって、水平線に対して或る角度（θ）で傾斜する傾斜壁としている。もっとも必ずしも底壁の巾方向全長に亘って一定の角度で傾斜している必要はなく、また傾斜角度は適宜設定することができる。図示した底壁は、前後方向に比べて左右に長い形状（楕円形状）を有しているが、その形状は適宜変形することができる。底壁４は、前後方向から見ても、左右方向から見ても中心部に向かって傾斜を有することが望ましい。
【００２３】
上記底壁４の裏面外周部には、底壁中心のゲート痕跡部Ｇに対して略等角的に接地用凸部２０を下方へ突設する。各接地用凸部２０は下方から見て円形であり、その中心に接地点（図１のＡ、Ｂ、Ｃ）がある。もっとも後述の他の実施例の如く当該形状は適宜変形することができる。これら接地用凸部の下端面は同一面上に存在するように形成する。図示例では３つの接地用凸部を形成しているが、その数は適宜変更することができる。また図示はしないが、前述の如くゲート痕跡部を囲むループ状の接地用凸部とすることもできる。
【００２４】
上記底壁４の裏面内周部には、ゲート痕跡部Ｇを中心とする環状の保護用補剛部２２を下方へ隆起させている。図４に示す如く保護用補剛部２２の隆起長さは接地用凸部２０の突出長さよりも短く、従って保護用補剛部の下端面は接地用凸部の下端面より高い位置にある。図示例では保護用補剛部の形状を円環状としているが、例えば楕円形状・多角形状など適宜形状を変形することができる。図示の保護用補剛部２２は、ループ形状の一本のリブであり、容器体の底壁４を、リブの内側部分とリブの外側部分とに区分している。しかしながら、保護用補剛部２２を例えばＣ字形状などの一本のリブに形成しても、落下時にゲート痕跡部が接地面に当らないようにすることができる。
【００２５】
上記構成において、液体の残量が残り少なくなると、底壁４の傾斜に従って残余の液体が底壁の中心に集まるために、液体を芯材１４の下端から液体を確実に吸上げることができる。また容器を誤って落下させたときには、図４に示す如く接地用凸部２０が接地面Pに当る。場合によっては底壁の変形などによりさらに保護用補剛部２２が接地面Pに当ることもあるが、保護用補剛部によって囲まれたゲート痕跡部Ｇが接地面Pに当ることはない。従ってゲート痕跡部が割れてしまうことを回避できる。またゲート痕跡部Gの周りを保護用補剛部２２が連続的に囲んでいるので、落下時の衝突がゲート痕跡部に及ぶことを緩和することができる。
【００２６】
以下、本発明の他の実施形態を説明する。これらの説明において第１実施形態と同じ構成については同一の符号を付することで解説を省略する。
【００２７】
図５は、本発明の第２の実施形態を示している。この実施形態は、保護用補剛部の形状を変形したものであり、それ以外の構造は第１の実施形態と同じである。本実施形態の保護用補剛部２２は、同じ高さの複数の突起（図示例では周方向に長い長円形の突起）２４を、適当な間隔を存して連なるように配列させてなる。このように保護用補剛部は、不連続な突部が連なっているだけでも、落下時にゲート痕跡部Ｇを接地面に衝突させないという機能を果たすことができる。図示の点列は一つの例であり、例えば、複数の円弧がゲート痕跡部を中心とする同一仮想円上に連なるように構成してもよい。
【実施例】
【００２８】
図６は、本発明の実施例であり、接地用凸部２０を、底壁の周方向に長い２本の弧状の突条に形成している。これらの突条は、少なくとも底壁の中心に対して略等角的な任意の三箇所の接地点（例えば図１のＡ、Ｂ、Ｃ）を通るように設ける。
【符号の説明】
【００２９】
２…容器体  ４…底壁  ６…口頸部  ８…装着筒  １０…揮発窓
１２…芯材支持筒  １４…芯材  １６…液体含浸材  １８…キャップ
２０…接地用凸部  ２２…保護用補剛部  ２４…突起
【図１】
2010274001.tif 000003
【図２】
2010274001.tif 000004
【図３】
2010274001.tif 000005
【図４】
2010274001.tif 000006
【図５】
2010274001.tif 000007
【図６】
2010274001.tif 000008